(57)【要約】  口腔のケアを充分に行うことのできる口腔ケア具を提供する。口腔ケア具（１）は、口腔用の薬剤が収容された袋体（１０）を備えている。袋体（１０）は、袋体（１０）の左端から右端まで延在する開封予定部（１２）を有している。袋体（１０）における開封予定部（１２）と袋体（１０）の上端との間の部分（１０ａ）の裏面には、歯を磨くための第１の歯磨き部が設けられている。袋体（１０）における開封予定部（１２）と袋体（１０）の下端との間の部分（１０ｂ）の裏面には、歯を磨くための第２の歯磨き部が設けられている。口腔ケア具（１）は、薬剤が取り出された後に袋体（１０）の部分（１０ａ），（１０ｂ）を裏返すことにより、第１及び第２の歯磨き部で歯を磨けるように構成されている。
2018087796.tif 000002
【特許請求の範囲】
【請求項１】
口腔用の薬剤が収容された袋体を備え、  前記袋体は、当該袋体の左端から右端まで延在する開封予定部を有し、  前記袋体における前記開封予定部と当該袋体の上端との間の部分である第１の部分の裏面には、歯を磨くための第１の歯磨き部が設けられており、  前記袋体における前記開封予定部と当該袋体の下端との間の部分である第２の部分の裏面には、歯を磨くための第２の歯磨き部が設けられており、  前記薬剤が取り出された後に前記袋体の前記第１及び第２の部分を裏返すことにより、前記第１及び第２の歯磨き部で歯を磨けるように構成されていることを特徴とする口腔ケア具。
【請求項２】
請求項１に記載の口腔ケア具において、  前記袋体の前記第１及び第２の部分の各々は、裏返された状態で手指に被せることが可能である口腔ケア具。
【請求項３】
請求項１又は２に記載の口腔ケア具において、  前記第２の部分の幅は、前記第１の部分の幅よりも大きい口腔ケア具。
【請求項４】
請求項１乃至３の何れかに記載の口腔ケア具において、  前記開封予定部は、前記袋体の長さを略二等分する線上に存在する口腔ケア具。
【請求項５】
請求項１乃至４の何れかに記載の口腔ケア具において、  前記第１及び第２の歯磨き部の摩擦係数は、前記袋体の表面の摩擦係数よりも大きい口腔ケア具。
【請求項６】
請求項１乃至５の何れかに記載の口腔ケア具において、  前記第１及び第２の歯磨き部の表面粗さは、前記袋体の表面の表面粗さよりも大きい口腔ケア具。
【請求項７】
請求項１乃至６の何れかに記載の口腔ケア具において、  前記第１の歯磨き部は、前記第１の部分の前記裏面の一部にのみ設けられている口腔ケア具。
【請求項８】
請求項７に記載の口腔ケア具において、  前記第１の歯磨き部は、前記袋体の前記開封予定部よりも前記上端寄りに設けられている口腔ケア具。
【請求項９】
請求項７又は８に記載の口腔ケア具において、  前記第１の歯磨き部の摩擦係数は、前記第１の部分の前記裏面における当該第１の歯磨き部以外の部分の摩擦係数よりも大きい口腔ケア具。
【請求項１０】
請求項７乃至９の何れかに記載の口腔ケア具において、  前記第１の歯磨き部の表面粗さは、前記第１の部分の前記裏面における当該第１の歯磨き部以外の部分の表面粗さよりも大きい口腔ケア具。
【請求項１１】
請求項１乃至１０の何れかに記載の口腔ケア具において、  前記第２の歯磨き部は、前記第２の部分の前記裏面の一部にのみ設けられている口腔ケア具。
【請求項１２】
請求項１１に記載の口腔ケア具において、  前記第２の歯磨き部は、前記袋体の前記開封予定部よりも前記下端寄りに設けられている口腔ケア具。
【請求項１３】
請求項１１又は１２に記載の口腔ケア具において、  前記第２の歯磨き部の摩擦係数は、前記第２の部分の前記裏面における当該第２の歯磨き部以外の部分の摩擦係数よりも大きい口腔ケア具。
【請求項１４】
請求項１１乃至１３の何れかに記載の口腔ケア具において、  前記第２の歯磨き部の表面粗さは、前記第２の部分の前記裏面における当該第２の歯磨き部以外の部分の表面粗さよりも大きい口腔ケア具。
【請求項１５】
請求項１乃至１４の何れかに記載の口腔ケア具において、  前記第１及び第２の歯磨き部は、吸水性を有する材料からなる口腔ケア具。
【請求項１６】
請求項１乃至１５の何れかに記載の口腔ケア具において、  前記第１及び第２の歯磨き部は、不織布、コットン又は合成繊維からなる口腔ケア具。
【請求項１７】
請求項１乃至１６の何れかに記載の口腔ケア具において、  前記袋体は、当該袋体の表面を構成する表面層と、当該袋体の裏面を構成する裏面層とを有するシートからなる口腔ケア具。
【請求項１８】
請求項１７に記載の口腔ケア具において、  前記表面層の少なくとも一部は、前記袋体から剥離可能である口腔ケア具。
【請求項１９】
請求項１７又は１８に記載の口腔ケア具において、  前記裏面層の少なくとも一部は、前記袋体から剥離可能である口腔ケア具。
【請求項２０】
請求項１７乃至１９の何れかに記載の口腔ケア具において、  前記表面層は、アルミニウムからなる口腔ケア具。
【請求項２１】
請求項１７乃至２０の何れかに記載の口腔ケア具において、  前記シートは、前記表面層と前記裏面層との間に挟まれた中間層を有する口腔ケア具。
【請求項２２】
請求項２１に記載の口腔ケア具において、  前記中間層は、防水性を有する材料からなる口腔ケア具。
【請求項２３】
請求項２１又は２２に記載の口腔ケア具において、  前記中間層は、前記表面層と同一の材料からなる口腔ケア具。
【発明の詳細な説明】
【技術分野】
【０００１】  本発明は、口腔のケアに用いられる口腔ケア具に関する。
【背景技術】
【０００２】  従来の口腔ケア具としては、例えば特許文献１に記載されたものがある。同文献に記載された口腔ケア具は、洗口液が充填された袋体を備えている。袋体の上部には、洗口液を吸引するための口部が設けられている。
【先行技術文献】
【特許文献】
【０００３】
【特許文献１】特開２０１４−３０５１８号公報
【発明の概要】
【発明が解決しようとする課題】
【０００４】  上述の口腔ケア具によれば、袋体から吸引した洗口液で口内を洗浄することにより、口腔のケアをすることができる。しかしながら、歯磨きをするには、歯ブラシ等の歯磨き具を別に用意しなければならない。それゆえ、この口腔ケア具だけでは、口腔のケアを充分に行うことができない。【０００５】  本発明は、上記課題に鑑みてなされたものであり、口腔のケアを充分に行うことのできる口腔ケア具を提供することを目的とする。
【課題を解決するための手段】
【０００６】  本発明による口腔ケア具は、口腔用の薬剤が収容された袋体を備え、上記袋体は、当該袋体の左端から右端まで延在する開封予定部を有し、上記袋体における上記開封予定部と当該袋体の上端との間の部分である第１の部分の裏面には、歯を磨くための第１の歯磨き部が設けられており、上記袋体における上記開封予定部と当該袋体の下端との間の部分である第２の部分の裏面には、歯を磨くための第２の歯磨き部が設けられており、上記薬剤が取り出された後に上記袋体の上記第１及び第２の部分を裏返すことにより、上記第１及び第２の歯磨き部で歯を磨けるように構成されていることを特徴とする。【０００７】  この口腔ケア具においては、袋体に、口腔用の薬剤が収容されている。このため、袋体から取り出した薬剤で口内を洗浄することができる。さらに、袋体の第１及び第２の部分の裏面には、それぞれ第１及び第２の歯磨き部が設けられている。この口腔ケア具は、薬剤が取り出された後の袋体の第１及び第２の部分を裏返すことにより、第１及び第２の歯磨き部で歯を磨けるように構成されている。このため、薬剤による口内の洗浄だけでなく、歯磨きをも行うことができる。
【発明の効果】
【０００８】  本発明によれば、口腔のケアを充分に行うことのできる口腔ケア具が実現される。
【図面の簡単な説明】
【０００９】
【図１】本発明による口腔ケア具の第１実施形態を示す正面図である。
【図２】図１の袋体１０を構成するシート２０を示す断面図である。
【図３】図１の袋体１０が開封された後の部分１０ａ，１０ｂを示す斜視図である。
【図４】図３の部分１０ａ，１０ｂが裏返された状態を示す斜視図である。
【図５】本発明による口腔ケア具の第２実施形態を示す正面図である。
【図６】図５の袋体１０を構成するシート２０を示す断面図である。
【図７】図５の袋体１０が開封された後に部分１０ａ，１０ｂが裏返された状態を示す斜視図である。
【図８】変形例に係るシート２０を示す断面図である。
【図９】変形例に係る袋体１０を示す正面図である。
【図１０】開封予定部１２が部分的に切断されるように袋体１０が開封された後の部分１０ａ，１０ｂを示す斜視図である。
【発明を実施するための形態】
【００１０】  以下、図面を参照しつつ、本発明の実施形態について詳細に説明する。なお、図面の説明においては、同一要素には同一符号を付し、重複する説明を省略する。（第１実施形態）
【００１１】  図１は、本発明による口腔ケア具の第１実施形態を示す正面図である。口腔ケア具１は、口腔のケアに用いられる口腔ケア具であって、袋体１０を備えている。袋体１０は、正面視で、縦長の長方形をしている。袋体１０の長さｄ１は、例えば、８〜１２ｃｍ程度である。また、袋体１０の幅ｄ２は、例えば、３〜６ｃｍ程度である。ここで、長さｄ１は、袋体１０を平坦にした状態（後述する薬剤が収容されていない状態）における上端から下端までの距離として定義される。幅ｄ２も、同様の状態における左端から右端までの距離として定義される。
【００１２】  袋体１０には、口腔用の薬剤（図示せず）が収容されている。本実施形態においては、液体状の薬剤（薬液）が収容されている。液体状の薬剤としては、例えば、マウスウォッシュ（洗口液）、液体歯磨き等が挙げられる。袋体１０は、薬剤が外に漏れないように密封されている。
【００１３】  袋体１０は、開封予定部１２を有している。開封予定部１２は、袋体１０を開封する位置の目安となる部分である。開封予定部１２は、袋体１０の左端から右端まで延在している。本実施形態において開封予定部１２は、袋体１０の長さｄ１を略二等分する線上に存在している。開封予定部１２の端部には、袋体１０の開封を容易にするための切り口１３が形成されている。切り口１３の延長線上に開封予定部１２が存在する。袋体１０は、開封予定部１２と袋体１０の上端との間の部分１０ａ（第１の部分）、及び開封予定部１２と袋体１０の下端との間の部分１０ｂ（第２の部分）からなる。本実施形態において部分１０ａの長さと部分１０ｂの長さとは、互いに略等しい。また、部分１０ａの幅と部分１０ｂの幅とも、互いに略等しい。
【００１４】  図２は、袋体１０を構成するシート２０を示す断面図である。袋体１０は、２枚のシート２０からなる。具体的には、２枚のシート２０を重ね合わせて両シート２０の周縁部全体をシールすることにより、袋体１０が形成されている。
【００１５】  シート２０は、表面層２２及び裏面層２４からなる。表面層２２は、袋体１０の表面を構成する層であり、開封前の袋体１０において外側に露出している。表面層２２は、防水性を有する材料からなり、薬剤を透過させたり吸収したりしない。表面層２２の材料としては、例えば、アルミニウム又はプラスチックを用いることができる。表面層２２の少なくとも一部は、袋体１０から剥離可能であることが好ましい。ここで、表面層２２が剥離可能であるとは、裏面層２４を損傷することなく、袋体１０から表面層２２を容易に剥がせるということである。
【００１６】  本実施形態において裏面層２４は、表面層２２の略全体に積層されている。裏面層２４は、袋体１０の裏面を構成する層であり、開封前の袋体１０において薬剤に直接触れている。裏面層２４は、吸水性を有する材料からなり、薬剤を吸収する。裏面層２４は、後述するように、歯を磨くための歯磨き部として機能する。すなわち、本実施形態においては、袋体１０の部分１０ａの裏面全体に歯磨き部（第１の歯磨き部）が設けられるとともに、袋体１０の部分１０ｂの裏面全体にも歯磨き部（第２の歯磨き部）が設けられている。
【００１７】  裏面層２４（第１及び第２の歯磨き部）の摩擦係数は、表面層２２（袋体１０の表面）の摩擦係数よりも大きい。裏面層２４の表面粗さ（Ｒａ）は、表面層２２の表面粗さよりも大きい。裏面層２４には、凹凸が形成されていることが好ましい。また、裏面層２４は、表面層２２よりも柔らかい材料からなることが好ましい。裏面層２４の材料としては、例えば、不織布、コットン（ガーゼ）、又はナイロン等の合成繊維を用いることができる。
【００１８】  続いて、図３及び図４を参照しつつ、口腔ケア具１の使用方法の一例を説明する。まず、切り口１３から袋体１０を開封する。このとき、概ね開封予定部１２に沿って袋体１０が切断されるようにする。これにより、図３に示すように、袋体１０が部分１０ａと部分１０ｂとに分断される。各部分１０ａ，１０ｂは、一端に口部１１ａ（開口部）を有している。このように開封された袋体１０から取り出した薬剤で、口をゆすぐ。
【００１９】  さらに、図４に示すように、薬剤が取り出されて空になった各部分１０ａ，１０ｂを裏返す。例えば、各部分１０ａ，１０ｂの底部１１ｂが口部１１ａをくぐり抜けるように、底部１１ｂを上方に押し込むことにより、袋体１０を裏返すことができる。これにより、各部分１０ａ，１０ｂの裏面が外側に露出する。その後、裏返された各部分１０ａ，１０ｂを手指に被せて第１及び第２の歯磨き部（裏面層２４）で歯を擦ることにより、歯を磨くことができる。このとき、例えば、部分１０ａを中指に被せるとともに、部分１０ｂを親指に被せることが考えられる。このように袋体１０の部分１０ａ及び部分１０ｂの各々は、裏返された状態で、指サックのように手指に被せることが可能である。また、口腔ケア具１は、薬剤が取り出された後に袋体１０の部分１０ａ，１０ｂを裏返すことにより、第１及び第２の歯磨き部で歯を磨けるように構成されている。
【００２０】  口腔ケア具１の効果を説明する。口腔ケア具１においては、袋体１０に、口腔用の薬剤が収容されている。このため、袋体１０から取り出した薬剤で口内を洗浄することができる。さらに、袋体１０の部分１０ａ及び部分１０ｂの裏面には、それぞれ第１及び第２の歯磨き部が設けられている。口腔ケア具１は、薬剤が取り出された後の袋体１０の部分１０ａ及び部分１０ｂを裏返すことにより、第１及び第２の歯磨き部で歯を磨けるように構成されている。このため、薬剤による口内の洗浄だけでなく、歯磨きをも行うことができる。したがって、口腔のケアを充分に行うことのできる口腔ケア具１が実現されている。かかる口腔ケア具１は、人の歯に限らず、ペット等の動物の歯を磨くのにも好適に使用することができる。
【００２１】  このように口腔ケア具１によれば、歯ブラシ等の歯磨き具を別に用意しなくても、口内の洗浄から歯磨きまでの一連の口腔ケアを実行することができる。それゆえ、口腔ケア具１を携帯していれば、外出先でも充分な口腔ケアを行うことが可能である。例えば、旅行先は勿論、飛行機や列車の中でも口腔ケア具１を用いて口腔ケアを行うことができる。かかる口腔ケア具１は、避難所においても好適に用いることができるため、防災グッズとしても役立つ。
【００２２】  また、各部分１０ａ，１０ｂの裏面は、開封前の袋体１０において外側に露出せず、しかも薬剤に直接触れていた面である。それゆえ、かかる裏面で歯を磨くことは、各部分１０ａ，１０ｂの表面で歯を磨く場合に比して、格段に衛生的である。
【００２３】  袋体１０の部分１０ａ及び部分１０ｂの各々は、裏返された状態で手指に被せることが可能である。これにより、２本の指で挟むようにして歯を磨くことができるため、歯の表裏を磨きやすくなる。また、２本の指で同時に歯を磨くことができるため、歯磨きを効率良く行うことができる。
【００２４】  開封予定部１２は、袋体１０の長さを略二等分する線上に存在する。これにより、各部分１０ａ，１０ｂの長さが大きくなりすぎたり、小さくなりすぎたりするのを防ぐことができる。
【００２５】  裏面層２４の摩擦係数は、表面層２２の摩擦係数よりも大きい。このように歯磨き部である裏面層２４の摩擦係数を大きくすることにより、歯磨き効果を高めることができる。ただし、裏面層２４の摩擦係数を表面層２２のそれよりも大きくすることは、必須でない。
【００２６】  裏面層２４の表面粗さは、表面層２２の表面粗さよりも大きい。このように歯磨き部である裏面層２４の表面粗さを大きくすることによっても、歯磨き効果を高めることができる。ただし、裏面層２４の表面粗さを表面層２２のそれよりも大きくすることは、必須でない。
【００２７】  裏面層２４は、吸水性を有する材料からなっている。この場合、歯磨き部である裏面層２４に薬剤が染み込んだ状態で歯を磨くことができるため、歯磨き効果を高めることができる。ただし、裏面層２４に吸水性をもたせることは、必須でない。
【００２８】  シート２０は、表面層２２及び裏面層２４を有している。このように袋体１０の表面を構成する層と裏面を構成する層とを別々に設けることにより、各層の機能に応じて最適な材料を選択しやすくなる。例えば、表面層２２には防水に適した材料を用いる一方で、裏面層２４には歯磨きに適した材料を用いることができる。
【００２９】  表面層２２が袋体１０から剥離可能である場合、部分１０ａ，１０ｂを裏返す前に表面層２２を剥がすことができる。このように表面層２２を袋体１０から取り除くことにより、裏面層２４で歯を磨く際に表面層２２が口内に入るのを防ぐことができる。表面層２２は、開封前の袋体１０において外側に露出していた層である。それゆえ、表面層２２を口内に入れないようにすることが、衛生上の観点から好ましい。（第２実施形態）
【００３０】  図５は、本発明による口腔ケア具の第２実施形態を示す正面図である。口腔ケア具２は、口腔のケアに用いられる口腔ケア具であって、袋体１０を備えている。本実施形態においては、袋体１０を構成するシート２０の構造が第１実施形態と異なっている。すなわち、シート２０において裏面層２４は、図６に示すように、表面層２２の一部にのみ積層されている。同図においては、左側が袋体１０の上端側であり、右側が袋体１０の下端側である。
【００３１】  このように、裏面層２４は、袋体１０の裏面の一部にのみ設けられている。具体的には、袋体１０の部分１０ａの裏面の一部に裏面層２４ａ（第１の歯磨き部）が設けられるとともに、部分１０ｂの裏面の一部に裏面層２４ｂ（第２の歯磨き部）が設けられている。
【００３２】  裏面層２４ａは、袋体１０の開封予定部１２よりも上端寄りに設けられている。すなわち、裏面層２４ａから袋体１０の上端までの距離の方が、裏面層２４ａから開封予定部１２までの距離よりも短い。裏面層２４ａは、部分１０ａの底部１１ｂまで達する一方で、口部１１ａ（開封予定部１２）には達しないように設けられている。すなわち、裏面層２４ａは、口部１１ａを避けるようにして、部分１０ａの裏面の一部にのみ設けられている。また、裏面層２４ｂは、袋体１０の開封予定部１２よりも下端寄りに設けられている。すなわち、裏面層２４ｂから袋体１０の下端までの距離の方が、裏面層２４ｂから開封予定部１２までの距離よりも短い。裏面層２４ｂは、部分１０ｂの底部１１ｂまで達する一方で、口部１１ａ（開封予定部１２）には達しないように設けられている。すなわち、裏面層２４ｂは、口部１１ａを避けるようにして、部分１０ｂの裏面の一部にのみ設けられている。
【００３３】  袋体１０の裏面における裏面層２４以外の部分には、表面層２２が露出している。すなわち、表面層２２の上面は袋体１０の表面を構成する一方で、表面層２２の下面の一部（裏面層２４が積層されていない部分）は、裏面層２４と共に、袋体１０の裏面を構成している。
【００３４】  裏面層２４ａの摩擦係数は、部分１０ａの裏面における裏面層２４ａ以外の部分（表面層２２の下面）の摩擦係数よりも大きい。裏面層２４ａの表面粗さは、部分１０ａの裏面における上記部分の表面粗さよりも大きい。また、裏面層２４ｂの摩擦係数は、部分１０ｂの裏面における裏面層２４ｂ以外の部分（表面層２２の下面）の摩擦係数よりも大きい。裏面層２４ｂの表面粗さは、部分１０ｂの裏面における上記部分の表面粗さよりも大きい。
【００３５】  袋体１０を開封した後に部分１０ａ及び部分１０ｂを裏返すことにより、図７に示すように、部分１０ａ及び部分１０ｂの外側に、それぞれ第１の歯磨き部（裏面層２４ａ）及び第２の歯磨き部（裏面層２４ｂ）を露出させることができる。口腔ケア具２のその他の構成は、口腔ケア具１と同様である。
【００３６】  口腔ケア具２の効果を説明する。第１の歯磨き部（裏面層２４ａ）は、口部１１ａを避けるようにして、部分１０ａの裏面の一部にのみ設けられている。これにより、裏面層２４ａで歯を磨く際、部分１０ａが口内に深く入りすぎるのを防ぎやすくなる。部分１０ａの裏面は、口部１１ａにおいて表面（開封前の袋体１０において外側に露出していた面）につながっている。それゆえ、衛生上の観点から、部分１０ａを口内に深く入れすぎないようにすることが好ましい。
【００３７】  第１の歯磨き部は、袋体１０の開封予定部１２よりも上端寄りに設けられている。このため、第１の歯磨き部が開封予定部１２寄りに設けられている場合に比して、部分１０ａを口内に浅く入れた状態で歯を磨くことができる。それゆえ、かかる構成は、部分１０ａが口内に深く入りすぎるのを防ぐのに有利である。
【００３８】  第１の歯磨き部は、部分１０ａの底部１１ｂまで達するように設けられている。このため、部分１０ａの底部１１ｂ付近でも歯を磨くことができる。これにより、部分１０ａが口内に深く入りすぎるのを一層防ぎやすくなる。
【００３９】  裏面層２４ａの摩擦係数は、部分１０ａの裏面における裏面層２４ａ以外の部分の摩擦係数よりも大きい。このように第１の歯磨き部である裏面層２４ａの摩擦係数を大きくすることにより、歯磨き効果を高めることができる。
【００４０】  裏面層２４ａの表面粗さは、部分１０ａの裏面における裏面層２４ａ以外の部分の表面粗さよりも大きい。このように第１の歯磨き部である裏面層２４ａの表面粗さを大きくすることによっても、歯磨き効果を高めることができる。
【００４１】  第２の歯磨き部（裏面層２４ｂ）は、口部１１ａを避けるようにして、部分１０ｂの裏面の一部にのみ設けられている。これにより、裏面層２４ｂで歯を磨く際、部分１０ｂが口内に深く入りすぎるのを防ぎやすくなる。部分１０ｂの裏面は、口部１１ａにおいて表面につながっている。それゆえ、衛生上の観点から、部分１０ｂを口内に深く入れすぎないようにすることが好ましい。
【００４２】  第２の歯磨き部は、袋体１０の開封予定部１２よりも下端寄りに設けられている。このため、第２の歯磨き部が開封予定部１２寄りに設けられている場合に比して、部分１０ｂを口内に浅く入れた状態で歯を磨くことができる。それゆえ、かかる構成は、部分１０ｂが口内に深く入りすぎるのを防ぐのに有利である。
【００４３】  第２の歯磨き部は、部分１０ｂの底部１１ｂまで達するように設けられている。このため、部分１０ｂの底部１１ｂ付近でも歯を磨くことができる。これにより、部分１０ｂが口内に深く入りすぎるのを一層防ぎやすくなる。
【００４４】  裏面層２４ｂの摩擦係数は、部分１０ｂの裏面における裏面層２４ｂ以外の部分の摩擦係数よりも大きい。このように第２の歯磨き部である裏面層２４ｂの摩擦係数を大きくすることにより、歯磨き効果を高めることができる。
【００４５】  裏面層２４ｂの表面粗さは、部分１０ｂの裏面における裏面層２４ｂ以外の部分の表面粗さよりも大きい。このように第２の歯磨き部である裏面層２４ｂの表面粗さを大きくすることによっても、歯磨き効果を高めることができる。口腔ケア具２のその他の効果は、口腔ケア具１と同様である。
【００４６】  本発明は、上記実施形態に限定されるものではなく、様々な変形が可能である。上記実施形態においては、シート２０が表面層２２及び裏面層２４からなる場合を例示した。しかし、シート２０は、図８に示すように、表面層２２、裏面層２４及び中間層２６からなっていてもよい。中間層２６は、表面層２２と裏面層２４との間に挟まれた層である。中間層２６は、防水性を有する材料からなり、薬剤を透過させたり吸収したりしない。中間層２６は、表面層２２と同一の材料からなっていてもよいし、異なる材料からなっていてもよい。表面層２２の少なくとも一部は、中間層２６を残して、袋体１０から剥離可能であることが好ましい。つまり、中間層２６を残したまま表面層２２のみを袋体１０から剥がせるように構成されていることが好ましい。
【００４７】  このように中間層２６を設けることにより、表面層２２を剥がした後も、袋体１０の防水性を確実に維持することができる。すなわち、袋体１０の裏面から表面に薬剤が浸透するのを、中間層２６によって確実に阻止することができる。特に中間層２６が表面層２２と同一の材料からなる場合、袋体１０の形成コストひいては口腔ケア具の製造コストを削減することができる。
【００４８】  上記実施形態においては、表面層２２の少なくとも一部が袋体１０から剥離可能である場合を例示した。しかし、裏面層２４の少なくとも一部が、袋体１０から剥離可能であってもよい。ここで、裏面層２４が剥離可能であるとは、表面層２２を損傷することなく、袋体１０から裏面層２４を容易に剥がせるということである。その場合、袋体１０から剥がした裏面層２４で歯を磨いてもよい。
【００４９】  上記実施形態においては、シート２０が複数の層からなる場合を例示した。しかし、シート２０は、単一の層からなっていてもよい。その場合、例えば、シート２０の下面（袋体１０の裏面）の全体又は一部に表面処理（例えば粗面化処理）を施すことにより、第１及び第２の歯磨き部を形成してもよい。
【００５０】  上記実施形態においては、部分１０ａの幅と部分１０ｂの幅とが互いに等しい場合を例示した。しかし、部分１０ｂの幅は、図９に示すように、部分１０ａの幅よりも大きくてもよい。同図においては、袋体１０の幅が上端から下端に向かうにつれて次第に大きくなっている。このように部分１０ｂの幅を部分１０ａの幅よりも大きくすることにより、異なる太さを有する手指に対して部分１０ａ及び部分１０ｂをフィットさせやすくなる。すなわち、比較的小さい幅を有する部分１０ａを比較的細い指（例えば中指）に被せる一方で、比較的大きい幅を有する部分１０ｂを比較的太い指（例えば親指）に被せることにより、それぞれの指に部分１０ａ及び部分１０ｂをフィットさせやすくなる。
【００５１】  上記実施形態においては、袋体１０の開封時に開封予定部１２が全体的に切断される場合、すなわち開封後に部分１０ａと部分１０ｂとが離れ離れになる場合を例示した。しかし、袋体１０の開封時、開封予定部１２は、部分的に切断されてもよい。すなわち、図１０に示すように、開封後も、部分１０ａと部分１０ｂとが繋がっていてもよい。
【００５２】  上記実施形態においては、開封予定部１２が袋体１０の長さを略二等分する線上に存在する場合を例示した。しかし、各部分１０ａ，１０ｂについて第１及び第２の歯磨き部で歯を磨くのに支障のない長さを確保できる限り、開封予定部１２の位置は任意である。ただし、部分１０ａと部分１０ｂとの長さの差が大きくなりすぎないようにするため、開封予定部１２は、袋体１０の長さを三等分する２本の線の間の領域内に存在することが好ましい。
【００５３】  上記実施形態においては、第１及び第２の歯磨き部で歯を磨く際にも各部分１０ａ，１０ｂが袋の形状を維持する場合を例示した。しかし、第１及び第２の歯磨き部で歯を磨く際には、各部分１０ａ，１０ｂは、袋の形状を維持していなくてもよい。すなわち、各部分１０ａ，１０ｂを展開してシート状にしてから第１及び第２の歯磨き部で歯を磨いてもよい。
【００５４】  上記実施形態においては、袋体１０が２枚のシート２０からなる場合を例示した。しかし、袋体１０は、１枚のシート２０からなっていてもよい。その場合、１枚のシート２０を折り返して、当該シート２０における折返し部以外の周縁部をシールすることにより、袋体１０を形成することができる。また、袋体１０は、ガゼット袋の形状を有していてもよい。
【００５５】  上記実施形態においては、口腔用の薬剤が液体状である場合を例示した。しかし、かかる薬剤は、ペースト状又は粉末状であってもよい。
【符号の説明】
【００５６】１  口腔ケア具２  口腔ケア具１０  袋体１０ａ  袋体の部分（第１の部分）１０ｂ  袋体の部分（第２の部分）１１ａ  口部１１ｂ  底部１２  開封予定部１３  切り口２０  シート２２  表面層２４  裏面層（第１及び第２の歯磨き部）２４ａ  裏面層（第１の歯磨き部）２４ｂ  裏面層（第２の歯磨き部）２６  中間層
【図１】
2018087796.tif 000003
【図２】
2018087796.tif 000004
【図３】
2018087796.tif 000005
【図４】
2018087796.tif 000006
【図５】
2018087796.tif 000007
【図６】
2018087796.tif 000008
【図７】
2018087796.tif 000009
【図８】
2018087796.tif 000010
【図９】
2018087796.tif 000011
【図１０】
2018087796.tif 000012
【国際調査報告】
2018087796.tif 000013
2018087796.tif 000014
2018087796.tif 000015
2018087796.tif 000016